(57)【要約】【課題】  コーキング処理を施すことなく雨水等の浸入を防止することができる通風ダクトを提供する。【解決手段】  壁面２の開口部３に連結される通風ダクト１０は、開口部３の周囲の壁面２に固定される固定部１２と、固定部１１の外方に設けられる第１係合部１５とを有する枠体１１と、枠体１１の第１係合部１５に係合する第２係合部２６を有するダクト本体１１と、を備えている。枠体１１は第１パッキン１４を介して壁面２に固定される。枠体１１またはダクト本体２１に、第１パッキン１４よりも外方で壁面２に当接する第２パッキン２７が設けられている。【選択図】  図１
2006057926.tif 000002
【特許請求の範囲】
【請求項１】
壁面の開口部に連結される通風ダクトにおいて、
開口部の周囲の壁面に第１パッキンを介して固定される固定部と、固定部の外方に設けられる第１係合部とを有する枠体と、
枠体の第１係合部に係合する第２係合部を有するダクト本体と、を備え、
枠体またはダクト本体に、第１パッキンよりも外方で壁面に当接する第２パッキンが設けられている
ことを特徴とする通風ダクト。
【請求項２】
枠体の第１係合部は固定部に段差を介して連結され、
ダクト本体の第２係合部は枠体の第１係合部と壁面との間に嵌め込まれる
ことを特徴とする請求項１に記載の通風ダクト。
【請求項３】
第２パッキンはダクト本体の第２係合部に設けられている
ことを特徴とする請求項２に記載の通風ダクト
【請求項４】
ダクト本体の第２係合部を壁面に向けて押圧するボルト用のねじ穴が枠体の第１係合部に設けられている
ことを特徴とする請求項２または３に記載の通風ダクト。
【請求項５】
枠体は上部と両横部とを有する三方枠からなり、
ダクト本体は上方から下方に摺動されて枠体に嵌め込まれる
ことを特徴とする請求項２乃至４のいずれか一項に記載の通風ダクト。
【請求項６】
ダクト本体の第２係合部は平板状の上部と両横部とを有する
ことを特徴とする請求項５に記載の通風ダクト。
【請求項７】
ダクト本体の第２係合部はダクト本体の側面の端部領域からなり、第２係合部は枠体の第１係合部に外方から当接する
ことを特徴とする請求項１に記載の通風ダクト。
【請求項８】
互いに係合する凹部および凸部のどちらか一方が枠体の第１係合部に設けられ、他方がダクト本体の第２係合部に設けられている
ことを特徴とする請求項７に記載の通風ダクト。
【請求項９】
ダクト本体は側面の端部から外方に突出したフランジを有し、第２パッキンはフランジに設けられている
ことを特徴とする請求項７または８に記載の通風ダクト。
【請求項１０】
枠体は、第２パッキンを設けられ、第２パッキンを介して壁面に当接する当接部を有する
ことを特徴とする請求項７乃至９のいずれか一項に記載の通風ダクト。
【請求項１１】
枠体の当接部は第１係合部に隣接して配置され、第２パッキンは当接部から第１係合部まで延在する
ことを特徴とする請求項１０に記載の通風ダクト。
【請求項１２】
枠体の固定部に、枠体を壁面に固定するための取付ボルトが貫通する孔が設けられており、孔の周縁部は壁面側に向けて突出している
ことを特徴とする請求項１乃至１１のいずれか一項に記載の通風ダクト。
【請求項１３】
ダクト本体は壁面から離間するにつれて下方に傾斜する平坦な傾斜面を上面に有する
ことを特徴とする請求項１乃至１２のいずれか一項に記載の通風ダクト。
【発明の詳細な説明】
【技術分野】
【０００１】
本発明は、壁面に取り付けられる換気用の通風ダクトであって、とりわけ通信用機器等を収納する収納箱の壁面に取り付けられ、屋外で風雨にさらされながら使用される通風ダクトに関する。
【背景技術】
【０００２】
通信機器等を収納する収納箱は、内部に収納される機器の発熱により、内部の温度が上昇する。その一方で収納箱内に収納される機器の中には、収納箱内の温度の上昇により正常に機能しなくなるものもある。また、機器は電気製品であるため雨水等の浸入による回路の短絡や絶縁抵抗の劣化等を極端に嫌う。このようなことから、通信機器等を収納する収納箱は換気扇５によって換気されるとともに、雨水等の収納箱内への浸入を防止するため、換気のために設けられた開口部を覆うように通風ダクトが壁面に取り付けられる。
【０００３】
従来用いられている通風ダクト４０として、図１１および図１２に示すように、取付面および下面が開口し、取付面開口４１ａの周囲を外方に向けて延びるフランジ４２が設けられているダクト本体４１から構成されるものが知られている。ダクト本体４１はフランジ４２を貫通した取付ボルト４３により、壁面２の開口部３を覆うよう壁面２に取り付けられる。また、吸気用の通風ダクト４０として用いる場合、外気の吸入口となるダクト本体４１の下面開口４１ｂ近傍にフィルタ４６が取り付けられる。
【発明の開示】
【発明が解決しようとする課題】
【０００４】
しかしながら、このような通風ダクト４０においては、雨水等がフランジ４２と壁面２との間から通風ダクト４０内に浸入し、さらに壁面２の開口部３から収納箱１内へ入り込んでしまう恐れがある。通常、通風ダクト４０と壁面２との間の密閉度を高めるため、フランジ４２と壁面２との間にパッキンが設けられるが、パッキンによる密閉では不十分なこともある。このような不都合を防止するため、ダクト本体４０を壁面２に取り付けた後、図１２に示すように、フランジ４２の周縁部４２ａと取付ボルト４３の頭部４３ａとにコーキング材４５を塗り付けるコーキング処理が施される。このため、従来の通風ダクト４０を壁面２へ取り付けるためには長時間を要する。
【０００５】
また、コーキング処理は作業者の熟練を要し、作業者によっては密閉が不十分となることもある。
【０００６】
また、ダクト本体４１に塗り付けたコーキング材４５は３〜５年で劣化し、通風ダクト４０の防水性が低下する。このため、コーキング処理についての定期的な補修作業が必要となり、費用と手間がかかる。
【０００７】
さらに、取付ボルト４３の頭部４３ａに塗り付けたコーキング材４５が劣化すると、取付ボルト４３に錆が生じることもある。この場合、取付ボルト４３が壁面２から抜けなくなったり、ダクト本体４１の腐食が促進させられたりすることがある。
【０００８】
さらにまた、このような不具合は、収納箱１の壁面２に通風ダクトを取り付ける場合だけでなく、例えば調理室のような、他の壁面に取り付ける場合にも生じ得る。
【０００９】
本発明はこのような点を考慮してなされたものであり、コーキング処理を施すことなく内部への雨水等の浸入を防止することができる通風ダクトを提供することを目的とする。
【課題を解決するための手段】
【００１０】
本発明は、壁面の開口部に連結される通風ダクトにおいて、開口部の周囲の壁面に第１パッキンを介して固定される固定部と、固定部の外方に設けられる第１係合部とを有する枠体と、枠体の第１係合部に係合する第２係合部を有するダクト本体と、を備え、枠体またはダクト本体に、第１パッキンよりも外方で壁面に当接する第２パッキンが設けられていることを特徴とする通風ダクトである。
【００１１】
この場合、第１パッキンと第２パッキンは、開口部の少なくとも上外方と両横外方とにわたって延在することが好ましい。
【００１２】
本発明は、枠体の第１係合部は固定部に段差を介して連結され、ダクト本体の第２係合部は枠体の第１係合部と壁面との間に嵌め込まれることを特徴とする通風ダクトである。
【００１３】
本発明は、第２パッキンはダクト本体の第２係合部に設けられていることを特徴とする通風ダクトである。
【００１４】
本発明は、ダクト本体の第２係合部を壁面に向けて押圧するボルト用のねじ穴が枠体の第１係合部に設けられていることを特徴とする通風ダクトである。
【００１５】
本発明は、枠体は上部と両横部とを有する三方枠からなり、ダクト本体は上方から下方に摺動されて枠体に嵌め込まれることを特徴とする通風ダクトである。
【００１６】
本発明は、ダクト本体の第２係合部は平板状の上部と両横部とを有することを特徴とする通風ダクトである。
【００１７】
本発明は、ダクト本体の第２係合部はダクト本体の側面の端部領域からなり、第２係合部は枠体の第１係合部に外方から当接することを特徴とする通風ダクトである。
【００１８】
本発明は、互いに係合する凹部および凸部のどちらか一方が枠体の第１係合部に設けられ、他方がダクト本体の第２係合部に設けられていることを特徴とする通風ダクトである。
【００１９】
本発明は、ダクト本体は側面の端部から外方に突出したフランジを有し、第２パッキンはフランジに設けられていることを特徴とする通風ダクトである。
【００２０】
本発明は、枠体は、第２パッキンを設けられ、第２パッキンを介して壁面に当接する当接部を有することを特徴とする通風ダクトである。
【００２１】
本発明は、枠体の当接部は第１係合部に隣接して配置され、第２パッキンは当接部から第１係合部まで延在することを特徴とする通風ダクトである。
【００２２】
本発明は、枠体の固定部に、枠体を壁面に固定するための取付ボルトが貫通する孔が設けられており、孔の周縁部は壁面側に向けて突出していることを特徴とする通風ダクトである。
【００２３】
本発明は、ダクト本体は壁面から離間するにつれて下方に傾斜する平坦な傾斜面を上面に有することを特徴とする通風ダクトである。
【発明の効果】
【００２４】
本発明によれば、コーキング処理を施すことなく、雨水等が通風ダクト内に浸入することを防止することができる。これにより、コーキング材の劣化に伴う定期的な補修作業にかける費用と手間を省くことができる。
【発明を実施するための最良の形態】
【００２５】
以下、図面を参照して本発明の実施の形態について説明する。
【００２６】
（第１の実施の形態）
まず、図１乃至４により本発明による通風ダクト１０の第１の実施の形態について説明する。
【００２７】
このうち図１は壁面へ取り付け前の通風ダクト１０の斜視図であり、図２は通風ダクト１０の縦断面図であり、図３は図２のＡ−Ａ断面図であり、図４は図３のＢ−Ｂ断面図である。
【００２８】
図１および図２に示すように、通風ダクト１０は、開口部３の周囲の壁面２に第１パッキン１４を介して固定される固定部１８と、固定部１８の外方に設けられた第１係合部１５とを有する枠体１１と、枠体１１の第１係合部１５に係合する第２係合部２６を有するダクト本体２１と、を備えている。
【００２９】
このような通風ダクト１０は、壁面２、例えば、機器等を収納する収納箱１の壁面２の開口部３を覆うように壁面２に取り付けられ、開口部３に収納箱１外側から連結される。そして、通風ダクト１０は収納箱１内と収納箱１外とを連通させるとともに、収納箱１内へ雨水等の侵入を防止しながら、収納箱１内を換気するためのものである。
【００３０】
まず、枠体１１について説明する。
【００３１】
図１および図３に示されているように、本実施の形態における枠体１１は、壁面２に固定された場合に開口部３の上外方と両横外方とにわたって延在する、上部１１ａと一対の両横部１１ｂ，１１ｂとを有した三方枠からなっている。
【００３２】
図４に示すように、枠体１１の固定部１２と第１係合部１５は共に平板状からなり、互いに対して平行である。枠体１１が壁面２に固定される場合、平板状の固定部１２は壁面２に対して平行に配置される（図４）。また、第１係合部１５は固定部１２に段差を介して連結されており、枠体１１が壁面２に固定される場合、第１係合部１５は壁面２に平行に配置されるとともに、第１係合部１５と壁面２との間に隙間が生じる（図４）。
【００３３】
図１に示すように、固定部１２には、枠体１１を壁面２に固定するための取付ボルトが貫通する孔が所定間隔をおいて複数設けられている。すなわち、この孔１３を貫通させて壁面２に設けられたねじ溝４に取付ボルト１８を締め込むことにより、固定部１１を壁面２に固定して枠体１１を壁面２に固定することができる。
【００３４】
なお、壁面２に設けられたねじ溝４は、三方枠からなる枠体１１が壁面２の開口部３の周囲に配置されるような位置に事前に設けられる。図１に示すように、本実施の形態において、孔１３は壁面２の開口部３の上外方および両横外方に設けられている。
【００３５】
固定部１２の壁面２に面する側の面には、固定部１２の全長に渡って第１パッキン１４が防水性を有する接着剤により貼り付けられている。図４に示すように、枠体１１が壁面２に取り付けられた場合、枠体１１の固定部１２に設けられた第１パッキン１４は壁面２に当接する。この場合、第１パッキン１４は、例えば、塩化ビニルからなり、柔軟かつ防水性を有する。
【００３６】
また、図４に示すように、固定部１２の孔１３の周縁には、第１パッキン１４側に、防水座金１９が貼り付けられている。上述した取付ボルト１８は防水座金１９にねじ込まれ、防水座金１９は固定部１２の孔１３を貫通する取付ボルト１８と螺合し、取付ボルト１８と防水座金１９との間は密封される。このような防水座金１９の材料としては、例えば、エラストマ樹脂が用いられる。
【００３７】
ところで、第１係合部１５には貫通したねじ穴１６が所定間隔をおいて複数設けられており、押圧ボルト２８を締め込むことができるようになっている。
【００３８】
このような枠体１１は、例えば、ステンレスから一体として形成される。
【００３９】
次に、ダクト本体２１について説明する。
【００４０】
図１および図２に示すように、ダクト本体２１は開口部３に接続する側面と、正面２４と、枠体１１の第１係合部１５に係合する第２係合部２６と、を有し、収納箱１への取付面および下面にそれぞれ取付面開口２１ａおよび下面開口２１ｂが形成されている。このうち側面は、壁面２に接続され互いに平行な両横面２２と、壁面２に接続され両横面２２に対して直交するように配置された上面２３と、を有しており、正面２４は両横面２２に対して直交するように側面に接続している。なお、本実施の形態において取付面開口２１ａと下面開口２１ｂはつながって一体に形成されている（図１）。
【００４１】
このうち、上面２３は収納箱１側に配置された水平面２３ａと、水平面２３ａに隣接して配置され、上面２３の大部分を占める傾斜面２３ｂと、を有している。傾斜面２３ｂは壁面２から離間するにつれて下方に傾斜する平坦面からなっている。
【００４２】
ここで、傾斜面２３ｂの水平面２３ａに対してなす角度θ１は、好ましくは３０°から６０°の範囲であり、さらに好ましくは４０°から５０°の範囲である。傾斜角度θ１をこの範囲に定めることにより、ダクト本体２１内を空気がスムースに流れることができるとともに、降雪地域で通風ダクト１０を使用した場合において雪がダクト本体２１の上面２３に堆積することを防止することができる。
【００４３】
図１および図２に示すように、ダクト本体２１の第２係合部２６は平板状の上部２６ａおよび両横部２６ｂ，２６ｂと、を有し、壁面２に取り付けられた場合、開口部３の上外方と両横外方とにわたって延在するようになっている。これらの上部２６ａおよび両横部２６ｂは、それぞれ上面２３および両横面２２の壁面２側の端部２３ｃ，２２ａから、それぞれ上面２３および両横面２２に直交し、ダクト本体２１の内方に向けて一定長さ延び出ている。
【００４４】
そして、この第２係合部２６は、枠体１１の第１係合部１５に対応した形状となっており、枠体１１を壁面２に取り付けた際に、第２係合部２６の上部２６ａおよび両横部２６ｂ，２６ｂは、それぞれ枠体１１の上部１１ａおよび両横部１１ｂ，１１ｂに対応する第２係合部１５と、壁面２との間に生じた隙間に入り込むことができる。すなわち、ダクト本体２１の第２係合部２６は枠体１１の第１係合部１５と壁面２との間に嵌め込まれ得るような形状となっている。
【００４５】
また、第２係合部２６の壁面２に面する側の面には、第２係合部２６の上部２６ａと両横部２６ｂとにわたって第２２７が防水性を有する接着剤により貼り付けられている。この第２パッキン２７は第１パッキン１４と同様に、例えば、柔軟な塩化ビニル等からなり、防水性を有する。
【００４６】
また、通風ダクト１０を吸気用として用いる場合には、吸気口となる開口した下面開口２１ａにフィルタ（図示せず）を設けることが好ましい。
【００４７】
なお、このようなダクト本体２１は例えばステンレス板に折り曲げ加工、溶接、リベット接合等を施して形成される。
【００４８】
次に、このような構成からなる本実施の形態の作用について説明する。
【００４９】
通風ダクト１０を壁面２に装着する場合、まず、枠体１１を壁面２に取り付けられる。この場合、枠体１１の固定部１２の孔１３が壁面２のねじ溝４にそれぞれ対応するよう、枠体１１が壁面２に位置決めされる。その後、作業者によって枠体１１がその位置に保持されながら、取付ボルト１８が枠体１１の固定部１２の孔１３を貫通して壁面２のねじ溝４に締め込まれる。
【００５０】
このようにして、まず枠体１１が壁面２に取り付けられる。本実施の形態によれば、従来用いられたダクト本体４１より枠体１１は小さく重量が軽いため、枠体１１の取り付け作業は従来用いられたダクト本体４１の取り付け作業に比べて容易に行うことができる。
【００５１】
また、図４に示すように、枠体１１の固定部１２の壁面２に面する側の面に、柔軟に変形することができる第１パッキン１４が貼り付けられているため、取付ボルト１８を締め込むことによって固定部１２と壁面２との間で第１パッキン１４を圧縮することができる。このため、枠体１１の固定部１２および壁面２にわずかな凹凸がある場合においても、第１パッキン１４を凹凸形状に沿って変形することができる。これにより、枠体１１の固定部１２と壁面２との間を密封することができる。
【００５２】
さらに、上述したように取付ボルト１８は防水座金１９を貫通している（図４）。この防水座金１９は取付ボルト１８に螺合しており、これにより取付ボルト１８と防水座金１９との間、および防水座金１９と固定部１２との間が密封される。このため、取付ボルト１８の締め付け時に第１パッキン１４を損傷させたとしても、雨水等が取付ボルト１８をつたって枠体１１の固定部１２の孔１３から通風ダクト１０内に浸入することを防止することができる。
【００５３】
枠体１１が取り付けられた後、ダクト本体２１が枠体１１に嵌め込まれる。この場合、まずダクト本体２１が枠体１１の上方に配置され、ダクト本体２１の第２係合部２６の両横部下端２６ｃが、壁面２に取り付けられた枠体１１の第１係合部１５の両横部上端１５ａと壁面２との隙間に挿入される。この状態から、ダクト本体２１が枠体１１に対して上方から下方に摺動させられ、ダクト本体２１の第２係合部２６の上部２６ａおよび両横部２６ｂはそれぞれ枠体１１の上部１１ａおよび両横部１１ｂにおける第１係合部１５と壁面２との隙間に嵌め込まれ、ダクト本体２１が枠体１１を介して壁面２に取り付けられる（図１）。
【００５４】
次に、ダクト本体２１の第２係合部２６が枠体１１の第１係合部１５と壁面２との間に配置された状態で、第１係合部１５のねじ穴１６に押圧ボルト２８が締め込まれる。図４に示すように、押圧ボルト２８を締め付けていくと、押圧ボルト２８の先端はダクト本体２１の第２係合部２６に当接し、第２係合部２６が壁面２に向けて押圧される。このようにして、ダクト本体２１は壁面２に対して固定される。
【００５５】
この場合、従来のダクト本体４１の取り付けと異なり、押圧ボルト２８を締め付ける間、重量の重いダクト本体２１を壁面２の所定位置に作業者が保持しておく必要はない。このため、作業を安全に行うことができる。
【００５６】
また、図４に示すように、壁面２に向けて押圧されるダクト本体２１の第２係合部２６の壁面２に面する側の面に、柔軟に変形することができる第２パッキン２７が貼り付けられ、この第２パッキン２７は押圧ボルト２８が締め込まれることによって、第１パッキンよりも外方で壁面に当接して第２係合部２６と壁面２との間で圧縮される。このため、ダクト本体２１の第２係合部２６および壁面２にわずかな凹凸がある場合においても、第２パッキン２７が凹凸形状に沿って変形することができる。これにより、第１パッキンよりも外方において、ダクト本体２１の第２係合部２６と壁面２との間を密封することができる。
【００５７】
なお、ダクト本体２１を枠体１１へ取り付ける前に、押圧ボルト２８を枠体１１第１係合部１５のねじ穴１６へ貫通しない程度に螺合させておくが好ましい。この場合、作業スペースが限定されるダクト本体２１内において、押圧ボルト２８の締め付けを容易に行うことができる。
【００５８】
このようにして通風ダクト１０が壁面２に取り付けられた場合、ダクト本体２１の第２係合部２６は第２パッキン２７を介して壁面２に向けて押圧されているため、通風ダクト１０内に雨水等が大量に入り込んでしまうことを防止することができる。また、少量の雨水等が第２パッキンを通過したとしても、第２パッキンの内方には、枠体１１が第１パッキン１４を介して壁面２に取り付けられているので、雨水等は通風ダクト１０内に入り込むのではなく、枠体１１をつたって通風ダクト１０の下方に流れていく。これにより、コーキング処理を施さなくても通風ダクト１０内部に雨水等が侵入してしまうことを防止することができる。
【００５９】
以上のように本実施の形態によれば、壁面２に取り付けられた通風ダクト１０と壁面２との間は、ダクト本体２１の第２係合部２６および枠体１１の固定部１２にそれぞれ貼り付けられた第２パッキン２７および第１パッキン１４により、壁面２の開口部３の上外方と横外方とにわたって二重に密封され、雨水等が通風ダクト１０内に浸入することを防止することができる。これにより、通風ダクト１０を壁面２に取り付けた後、コーキング処理を施す必要がなく、コーキング材４５の劣化に伴う定期的な補修作業にかける費用と手間を省くことができる。
【００６０】
また、重量の比較的軽い枠体１１を壁面２に取り付けた後、枠体１１に対してダクト本体２１を摺動させて嵌め込み、その後押圧ボルト２８を締め付けてダクト本体２１を固定することにより、通風ダクト１０を壁面２に取り付けることができる。したがって、重量の重いダクト本体４１を壁面２の所定位置に保持しながら取付ボルト４３の締め付け作業を行う従来の通風ダクト４０の取り付け作業に比べて、作業を安全に行うことができる。
【００６１】
さらに、ダクト本体２１の上面２３に傾斜面２３ｂを有しているので、降雪地域で通風ダクト１０を使用した場合において、ダクト本体２１の上面２３に雪が堆積することはない。これにより、雪の重みでダクト本体２１の上面２３が潰れてしまうことを防止することができる。
【００６２】
なお、本実施の形態において、枠体１１の第１係合部１５は、枠体１１の固定部１２およびダクト本体２１の第２係合部２６とともに、開口部３の上外方および両横外方にわたって延在する例をしめしたが、これに限られない。ダクト本体２１を固定するためにねじ穴１６が必要となる部分のみに配置するようにしてもよい。すなわち、固定部１１の外方に段差を介して複数の第１係合部１５が点在するようにしてもよい。この場合においても、通風ダクト１０と壁面２との間は、開口部３の上外方および両横外方にわたって延在する、ダクト本体２１の第２係合部２６および枠体１１の固定部１２にそれぞれ貼り付けられた第２パッキン２７および第１パッキン１４により二重に密封され、雨水等が通風ダクト１０内に浸入することを防止することができる。
【００６３】
（第２の実施の形態）
次に、図５乃至１０により本発明による通風ダクト１０の第２の実施の形態について説明する。
【００６４】
このうち、図５は枠体１１を示す平面図であり、図６は図５のＣ−Ｃ断面図であり、図７は図５のＤ−Ｄ断面図であり、図８はダクト本体２１の斜視図であり、図９は壁面２に取り付けられた通風ダクト１０の図５のＣ−Ｃ位置における断面図であり、図１０は壁面２に取り付けられた通風ダクト１０の図５のＤ−Ｄ位置における断面図である。
【００６５】
図５乃至１０に示す第２の実施の形態は、主に、図１乃至４に示す第１の実施の形態と、枠体１１の第１係合部１５およびダクト本体２１の第２係合部２６に関する構成が相違し、同一な部分が多い。図５乃至１０において、図１乃至図４に示す第１の実施の形態と同一部分には同一符号を付して、詳細な説明は省略する。
【００６６】
図５乃至１０に示すように、本実施の形態による通風ダクト１０は、第１の実施の形態による通風ダクト１０と同様に、開口部３の周囲の壁面２に第１パッキン１４を介して固定される固定部１２と、固定部１２の外方に設けられた第１係合部１５ｂ，１５ｃと、を有する枠体１１と、枠体１１の第１係合部１５ｂ，１５ｃに係合する第２係合部２６ｄ，２６ｅを有するダクト本体２１と、を備えている。
【００６７】
まず、本実施の形態による枠体１１について説明する。
【００６８】
図５に示すように、本実施の形態による枠体１１も上部１１ａと一対の両横部１１ｂ，１１ｂとを有する三方枠からなっている。また、図５および図７に示すように、枠体１１は固定部１２を有する第１部材３０と、両横部１１ｂにおける第１部材３０に連結ボルト３５によって固定された第２部材３３とからなっている。すなわち、図６および図９に示すように枠体１１の上部１１ａは第１部材３０のみから構成され、図７および図１０に示すように枠体１１の横部１１ｂは第１部材３０と第２部材３３とから構成されている。
【００６９】
第１部材３０は、固定部１２と、枠体１１が壁面２に取り付けられた際に壁面２から離間するとともに壁面２に対して略直交して配置される平板状の先端部３０ｂと、固定部１２と先端部３０ｂとを連結する略Ｌ字状の連結部３０ａとを有している。
【００７０】
第１の実施の形態で説明したように、固定部１２には取付ボルト１８が貫通する孔１３が設けられている。ただし、本実施の形態において、孔１３の周縁部１３ａは壁面２側に向けて突出し、取付ボルト１８の締め過ぎによる第１パッキン１４の潰れ過ぎを防止することができるようになっている。また、周縁部１３ａの突出にともなって、防水座金１９は固定部１２の取付ボルト１８頭側に配置されている。
【００７１】
なお、このような孔１３の周縁部１３ａおよび防水座金１９の配置に関する構成は、第１の実施の形態にも適用し得る。
【００７２】
図７および図１０に示すように、第２部材３３は、第１部材３０に固定された場合に、先端部３０ｂと平行に配置される基部３３ａと、基部３３ａの両端部から壁面２と略平行に突出する突出部３３ｂ，３３ｃとからなり、第２部材３３は断面が略コ字状となっている。第２部材３３は第１部材３０の連結部３０ａと先端部３０ｂとによって囲まれる部分に収納され、連結ボルト３５を介して第１部材３０に固定されている。
【００７３】
ところで、図９に示すように、枠体１１の上部１１ａにおいて、第１係合部１５ｂは先端部３０ｂによって形成される。
【００７４】
一方、図１０に示すように、枠体１１の横部１１ｂにおいては、第１部材３０の先端部３０ｂと第２部材の基部３３ａの一部とによって第１係合部１５ｃが形成される。そして、横部１１ｂの第１係合部１５ｃには、第１部材３０の先端部３０ｂと第２部材３３の基部３３ａとの段差によって凹部３８が形成されている。
【００７５】
また、図７および図１０に示すように、第２部材３３の一対の突出部３３ｂ，３３ｃのうち、壁面２側に配置される突出部３３ｃに第２パッキン２７ａが貼り付けられており、この突出部３３ｃは、枠体１１が壁面２に取り付けられた際に、第２パッキン２７ａを介して壁面２に当接する当接部３７を形成する。すなわち、枠体１１の横部１１ｂにおいて、当接部３７が第１係合部１５ｃに隣接して配置され、また、図７に示すように、第２パッキン２７ａは当接部３７から第１係合部１５ｂの凹部３８内まで延在する。
【００７６】
なお、本実施の形態において、枠体１１の第１部材３０と第２部材３３とを別体に形成した例を示したが、これに限られず、第１部材３０と第２部材３３とを一体に形成してもよい。
【００７７】
ところで、図８に示すように、本実施の形態によるダクト本体２１は、第１の実施の毛形態と同様に、一対の横面２２，２２と上面２３と、からなる側面を有する。
【００７８】
そして、図９および図１０に示すように、側面の内、一対の横面２２，２２の壁面２側の端部領域および上面２３の壁面２側の端部領域が、枠体１１の第１係合部１５ｂ，１５ｃを形成する第１部材３０の先端部３０ｂと第２部材３３の基部３３ａとに横外方から当接する。すなわち、本実施の形態において、第２係合部は、第１の実施の形態と同様に上部２６ｄと一対の両横部２６ｅ，２６ｅとを有し、それぞれ横面２２および上面２３の端部領域から形成されている。
【００７９】
このうち、ダクト本体２１の横面２２に形成された第２係合部２６ｅは、ダクト本体２１を形成する板、例えば、ステンレス板を内方に折り返してなる内方に突出した凸部３９を有している。図１０に示すように、この第２係合部２６ｄの凸部３９は枠体１１の横部１１ｂにおける第１係合部１５ｃに設けられた凹部３８と係合するような形状となっている。
【００８０】
また、ダクト本体２１は、上面２２の水平面２２ａの壁面２側端部２２ａから外方に突出したフランジ３６を有している。図８に示すように、フランジ３６の両端部はダクト本体２１の側面２２の外方まで延在している。このフランジ３６の壁面２側の面に第２パッキン２７ｂが貼り付けられている。また、フランジ３６には、取付ボルト１８が貫通する孔１３が設けられている。
【００８１】
次に、このような構成からなる本実施の形態の作用について説明する。
【００８２】
通風ダクト１０を壁面２に取り付ける場合、まず、枠体１１の固定部１２を壁面２に固定して枠体１１を壁面２に取り付ける。
【００８３】
この場合、枠体１１の横部１１ｂにおいては、枠体１１の固定部１２と壁面２との間が第１パッキン１４を介して密封されるだけでなく、枠体１１の当接部３７と壁面２との間も第２パッキン２７ａを介して密封される。
【００８４】
また、取付ボルト１８が貫通する孔１３の周縁部１３ａは壁面２側に向けて突出している。したがって、枠体１１は壁面２に一定限度以上近付くことはない。これにより、第１パッキン１４を潰し過ぎることを防止することができる。さらに、本実施の形態においては、枠体１１の固定部１２と取付ボルト１８頭部との間に配置された防水座金１９により、穴１３が密封されている。
【００８５】
次に、ダクト本体２１を壁面２に固定された枠体１１に装着する。この場合、ダクト本体２１の上面２３の端部２３ｃおよび両横面２２，２２の端部２２ａ，２２ａを対応する枠体１１の第１部材３０の先端部３０ｂに係合させて、ダクト本体２１を枠体１１に向けて正面から押し込む。これにより、ダクト本体２１の上部および両横部における第２係合部上部２６ｄおよび両横部２６ｅ，２６ｅが、それぞれ枠体１１の上部１１ａおよび両横部１１ｂ，１１ｂの第１係合部１５ａ，１５ｂに係合する。
【００８６】
この場合、図９に示すように、上方において、ダクト本体２１の上面２３の水平面２３ａ（第２係合部２６ｄ）が枠体１１の先端部３０ｂ（第１係合部１５ｂ）上に配置され、ダクト本体２１は枠体１１によって下方から支持される。一方、図１０に示すように、横方において、ダクト本体２１の横面２２の第２係合部２６ｅに設けられた凸部３９とが、枠体１１の第１係合部１５ｃに設けられた凹部３８とが嵌合する。これにより、ダクト本体２１は枠体１１に対して装着される。
【００８７】
次に、枠体１１に装着されたダクト本体２１の上方に突出するフランジ３６を、取付ボルト１８を締め付けることによって壁面２に対して固定する。これにより、ダクト本体２１のフランジ３６と壁面２との間は、第２パッキン２７ｂによって密閉される。
【００８８】
なお、図９および図１０に示すように、本実施の形態においては、孔１３と取付ボルト１８頭部との間には防水座金１９が配置されており、孔１３から通風ダクト１０内への雨水等の侵入を防止することができる。ただし、第１の実施の形態で説明したように、防水座金１９を孔１３の壁面２側に配置してもよい。
【００８９】
また、フランジ３６の壁面２への固定に並行し、固定ボルト３２を、防水座金１９を介して、それぞれダクト本体２１の横面２２および枠体１１の第１部材３０の先端部３０ｂに設けられた貫通孔２９，３１を貫通させて、枠体１１の第２部材３３の基部３３ａに形成されたねじ穴３４に締め込む。これにより、ダクト本体１１の横面２２は枠体１１に完全に固定される。
【００９０】
また、ダクト本体２１の上面２２に設けられたフランジ３６の両端部は横面２２まで入り込んでおり、フランジ３６に設けられた第２パッキン２７ｂの端部と枠体１１の第２部材３３に設けられた第２パッキン２７ａの端部は隣接して配置されている。したがって、ダクト本体２１が枠体１１に固定された場合、第２パッキン２７ａ，２７ｂによって、開口部３の上外方および両横外方にわたって連続して、通風ダクト１０と壁面２との間が密封される。
【００９１】
以上のようにして、通風ダクト１０が壁面２に固定される。
【００９２】
この場合、枠体１１の当接部３０ｂおよびダクト本体２１のフランジ３６に設けられた第２パッキン２７ａ，２７ｂによって、通風ダクト１０と壁面２との間が密封されており、通風ダクト１０内に雨水等が大量に入り込んでしまうことを防止することができる。また、少量の雨水等が第２パッキン２７ａ，２７ｂを通過したとしても、第２パッキン２７ａ，２７ｂの内方にさらに設けられた第１パッキン１４によって、通風ダクト１０と壁面２との間が密封されており、雨水等は通風ダクト１０内に入り込むのではなく、枠体１１をつたって通風ダクト１０の下方に流れていく。これにより、コーキング処理を施さなくても通風ダクト１０内部に雨水等が侵入してしまうことを防止することができる。
【００９３】
なお、本実施の形態において、通風ダクト１０の上部と両横部とで、枠体１１とダクト本体２１との組合せについて異なる構成を採用した例を示したが、これに限られない。本実施の形態で上部に採用した構成を横部に用いてもよく、また逆に、横部に採用した構成を上部に用いてもよい。
【００９４】
また、枠体１１の構成とダクト本体２１の構成との組合せについても、特に限定されるものではない。横部において採用した第１部材３０と第２部材３３とからなる枠体１１の構成に対して、上部に採用したフランジ３６を有するダクト本体２１の構成とを組み合わせ、通風ダクト本体１０内部への雨水等の侵入を防止するようにしてもよい。
【００９５】
さらに、本実施の形態において、ダクト本体２１は、側面として両横面２２，２２と上面２３とを有する例を示したが、これに限られず、ダクト本体２１は、側面として両横部と、上面と、さらに下面とを有し、筒状に形成されたものでもよい。この場合、枠体１１も同様に下部を有するように変更してもよい。
【図面の簡単な説明】
【００９６】
【図１】本発明による通風ダクトの第１の実施の形態の壁面への取り付け前の斜視図。
【図２】通風ダクトの縦断面図。
【図３】図２のＡ−Ａ断面図。
【図４】図３のＢ−Ｂ断面図。
【図５】本発明による通風ダクトの第２の実施の形態の枠体を示す平面図。
【図６】図５のＣ−Ｃ断面図。
【図７】図６のＤ−Ｄ断面図。
【図８】本発明による通風ダクトの第２の実施の形態のダクト本体を示す斜視図。
【図９】壁面に取り付けられた通風ダクトの図５のＣ−Ｃ位置における断面図。
【図１０】壁面に取り付けられた通風ダクトの図５のＤ−Ｄ位置における断面図。
【図１１】従来の通風ダクトの壁面への装着前の斜視図。
【図１２】従来の通風ダクトの縦断面図
【符号の説明】
【００９７】
１  収納箱
２  壁面
３  開口部
１０  通風ダクト
１１  枠体
１１ａ  上部
１１ｂ  横部
１２  固定部
１３  孔
１３ａ  周縁部
１４  第１パッキン
１５，１５ｂ，１５ｃ  第１係合部
１６  ねじ穴
１８  取付ボルト
２１  ダクト本体
２２  横面（側面）
２２ａ  端部
２３  上面（側面）
２３ａ  水平面
２３ｂ  傾斜面
２３ｃ  端部
２６  第２係合部
２６ａ，２６ｄ  上部
２６ｂ，２６ｅ  横部
２７，２７ａ，２７ｂ  第２パッキン
２８  押圧ボルト
３６  フランジ
３７  当接部
３８  凹部
３９  凸部
４０  通風ダクト
４１  ダクト本体
【図１】
2006057926.tif 000003
【図２】
2006057926.tif 000004
【図３】
2006057926.tif 000005
【図４】
2006057926.tif 000006
【図５】
2006057926.tif 000007
【図６】
2006057926.tif 000008
【図７】
2006057926.tif 000009
【図８】
2006057926.tif 000010
【図９】
2006057926.tif 000011
【図１０】
2006057926.tif 000012
【図１１】
2006057926.tif 000013
【図１２】
2006057926.tif 000014